(57)【要約】【課題】所望する波長の赤外や遠赤外光を効率よく発することができる光源を提供する。【解決手段】１種以上のガスを封入した容器１０と、容器１０内のガスを励起する励起部１２と、容器１０に設けられた、ガスが放射する赤外光を透過する窓１３とを有する赤外光源を提供する。励起されたガス１１が、そのガス固有の赤外吸収波長の近傍の赤外光を放射する。これにより、所望する波長の赤外光を高効率で発生することができる。【選択図】図１
2015041545.tif 000002
【特許請求の範囲】
【請求項１】
１種以上のガスを封入した容器と、前記容器内のガスを励起する励起部と、前記容器に設けられた、前記ガスが放射する赤外光を透過する窓とを有することを特徴とする赤外光源。
【請求項２】
請求項１に記載の赤外光源において、前記励起部は、前記光源用容器内のガスを振動準位間で励起することを特徴とする赤外光源。
【請求項３】
請求項１または２に記載の赤外光源において、前記容器内に封入された１種以上のガスは、放射する前記赤外光近傍に、固有の赤外吸収波長をもつガスであることを特徴とする赤外光源。
【請求項４】
請求項１ないし３のいずれか１項に記載の赤外光源において、前記励起部は、赤外光で前記ガスを励起するフィラメントであることを特徴とする赤外光源。
【請求項５】
請求項４に記載の赤外光源において、前記容器内に封入された１種以上のガスは、当該ガスの赤外吸収波長の近傍波長の前記赤外光を放射し、放射された赤外光は、前記フィラメントが放射する同じ波長の赤外光に重畳されて前記窓から出射されることを特徴とする赤外光源。
【請求項６】
請求項１ないし５のいずれか１項に記載の赤外光源において、前記容器は、前記窓を除いた壁面の少なくとも一部に、少なくとも赤外光を反射する反射膜が配置されていることを特徴とする赤外光源。
【請求項７】
検出すべきガスを導入する導入口を備えた検出用容器と、前記検出用容器内に赤外光を照射する赤外光源と、前記検出用容器内の前記検出すべきガスを透過した前記赤外光を検出する検出器とを有し、
前記赤外光源は、１種以上のガスを封入した光源用容器と、前記光源用容器内のガスを励起する励起部と、前記光源用容器内のガスが放射する赤外光を透過するために前記容器に設けられた窓とを備え、前記窓を透過した前記赤外光を前記検出用容器内の前記検出すべきガスに照射することを特徴とするガス検出装置。
【請求項８】
請求項７に記載のガス検出装置において、前記励起部は、前記光源用容器内のガスを振動準位間で励起することを特徴とするガス検出装置。
【請求項９】
請求項７または８に記載のガス検出装置において、前記光源用容器内に封入された１種以上のガスは、前記検出すべきガスと同じガス種を含むことを特徴とするガス検出装置。
【請求項１０】
請求項７ないし９のいずれか１項に記載のガス検出装置において、前記励起部は、赤外光で前記光源用容器内のガスを励起するフィラメントであることを特徴とするガス検出装置。
【請求項１１】
請求項１０に記載のガス検出装置において、前記容器内に封入された１種以上のガスは、励起されたことにより、当該ガスの固有の赤外吸収波長の近傍の波長の前記赤外光を放射し、放射された赤外光は、前記フィラメントが放射する同じ波長の赤外光に重畳されて前記窓から出射されることを特徴とするガス検出装置。
【請求項１２】
請求項７ないし１１のいずれか１項に記載のガス検出装置において、前記検出用容器内のガスを加熱する加熱部をさらに備えることを特徴とするガス検出装置。
【請求項１３】
請求項７ないし１２のいずれか１項に記載のガス検出装置において、前記検出用容器は、前記検出すべきガスを前記赤外光源に向かって正の速度または負の速度で吹き付ける構造であることを特徴とするガス検出装置。
【請求項１４】
請求項７ないし１３のいずれか１項に記載のガス検出装置において、前記検出器は、前記検出すべきガスの固有の赤外吸収波長に対応する波長を含む所定の波長範囲の光を透過する帯域フィルタを備え、前記検出すべきガスを透過した前記赤外光のうち、前記帯域フィルタを透過した赤外光を検出することを特徴とするガス検出装置。
【発明の詳細な説明】
【技術分野】
【０００１】
本発明は、エネルギー変換効率の高い赤外光源に関する。
【背景技術】
【０００２】
ガスや化学物質等が有する固有の赤外吸収スペクトルを利用して、ガスや化学物質等の成分を検出するガスセンサーが知られている。このような分析装置では、Ｗフィラメント等に電流を流すことによりフィラメントを加熱し、赤外光（遠赤外光を含む）を出射させる光源が用いられている。フィラメントの黒体放射領域（１〜１０μｍ）には、多様な分子種の赤外吸収が存在するため、光源としてフィラメントを用いることにより、多様な分子種の検出に対応することができる。しかしながら、上記赤外光源は、図６に示すように、例えば３０００Ｋの温度においては、０．５〜１０μｍに亘る非常にスペクトル幅の広い光源であるのに対し、ガスの赤外吸収スペクトルは、スペクトル幅が非常に狭帯域であるため、エネルギーの利用効率は高くない。
【０００３】
一方、フィラメントを高効率化・高輝度化・長寿命化する試みとして、以下のように様々な手法が現在までに提案されている。
【０００４】
例えば、特許文献１および２には、フィラメントが配置された空間に不活性ガスやハロゲンガスを封入することにより、蒸発したフィラメント材料をハロゲン化してフィラメントに帰還させ（ハロゲンサイクル）、フィラメント温度をより高くする構成が提案されている。一般的にこれらはハロゲンランプと呼ばれている。これにより、赤外光への電力変換効率の上昇およびフィラメント寿命の延長の効果が得られる。この構成では、高効率化並びに長寿命化のために、封入ガスの成分並びに圧力の制御が重要となる。
【０００５】
特許文献３〜５には、フィラメントが封入された電球ガラスの表面に不要な波長の赤外線を反射する赤外線反射コートを施し、フィラメントから放射された不要な波長の赤外光を反射して、フィラメントに戻し、再吸収させる構成が開示されている。これにより、不要な波長の赤外光をフィラメントの再加熱に利用し、高効率化を図ることが提案されている。
【０００６】
特許文献６〜９には、フィラメント自体に微細構造体を作製し、その微細構造体の物理的効果により、不要な波長の赤外放射を抑制し、必要な波長の赤外光放射の割合を高めるという構成が提案されている。
【先行技術文献】
【特許文献】
【０００７】
【特許文献１】特開昭６０−２５３１４６号公報
【特許文献２】特開昭６２−１０８５４号公報
【特許文献３】特開昭５９−５８７５２号公報
【特許文献４】特表昭６２−５０１１０９号公報
【特許文献５】特開２０００−１２３７９５号公報
【特許文献６】特表２００１−５１９０７９号公報
【特許文献７】特開平６−５２６３号公報
【特許文献８】特開平６−２１６７号公報
【特許文献９】特開２００６−２０５３３２号公報
【非特許文献】
【０００８】
【非特許文献１】F.Kusunoki  et  al.、Jpn.J.Appl.Phys.43、8A、5253(2004).
【発明の概要】
【発明が解決しようとする課題】
【０００９】
しかしながら，特許文献１，２の技術は、ハロゲンサイクルを利用して寿命延伸効果を図ることは出来るが，赤外放射スペクトルを操作することはできないため、大幅な効率改善を行うことは困難である。
【００１０】
また，特許文献３〜５の技術は、フィラメント自体の赤外光反射率が７０％と高いため、赤外線反射コートで反射された不要な波長の赤外光をフィラメントが効率良く再吸収できない。また，赤外線反射コートで反射された不要な波長の赤外光が、フィラメント以外の他の部分，例えばフィラメント保持部分並びに口金等に吸収され，フィラメントの加熱に利用されない。このため、本技術を用いても大幅な効率改善を行うことは困難である。
【００１１】
また，特許文献６〜９の技術は，赤外放射スペクトルの極一部分に対して若干の放射増強並びに抑制効果を示す報告は存在するものの（非特許文献１）、所望の波長の赤外放射光の大幅な増強を図ることは困難であり，本技術を利用して大幅な効率改善を図ることは難しいと考えられる。
【００１２】
ガスや化学物質等が有する固有の赤外や遠赤外吸収スペクトルを利用するガスセンサーシステムの検出感度を向上させるためには、光源として、従来よりも強度の大きな光源が必要である。しかしながら、赤外や遠赤外の波長域では、フィラメントよりも強度の大きな光源が存在しないため，その検出感度を向上させることは難しい。また、フィラメントは、ガスセンサーに必要とされる波長帯域よりも、広い波長領域で発光するため、エネルギーの利用効率を向上させることは難しい。
【００１３】
本発明の目的は、所望する波長の赤外光や遠赤外光を効率よく発することができる光源を提供することにある。
【課題を解決するための手段】
【００１４】
上記目的を達成するために、本発明では、１種以上のガスを封入した容器と、容器内のガスを励起する励起部と、容器に設けられた、ガスが放射する赤外光を透過する窓とを有する赤外光源を提供する。
【発明の効果】
【００１５】
本発明によれば、励起されたガスが、そのガス固有の赤外吸収波長の近傍の赤外光を放射する。これにより、所望する波長の赤外光を高効率で発生することができる。
【図面の簡単な説明】
【００１６】
【図１】第１の実施形態の赤外光源の構造を示す説明図。
【図２】（ａ）赤外光源のガスの励起時の振動準位および回転準位の遷移を示す説明図、（ｂ）赤外光源のガスの赤外光放射時の振動準位および回転準位の遷移を示す説明図。
【図３】（ａ）ＣＯ２ガスにフィラメントから赤外光を照射し、得られた赤外放射スペクトルを示すグラフ、（ｂ）は（ａ）のスペクトルを拡大したグラフ。
【図４】フィラメントが１０００Ｋの場合の放射スペクトルにガスの吸収スペクトルと放射スペクトルが重畳されたスペクトル、および、フィラメントが１３００Ｋの場合の放射スペクトルを示すグラフ。
【図５】（ａ）第２の実施形態のガス検出装置のブロック図、（ｂ）赤外光源１の赤外光の放射スペクトルを示すグラフ、（ｃ）検出すべきガスを透過した後の赤外光の放射スペクトルを示すグラフ、（ｄ）検出器の出力信号を示すグラフ。
【図６】従来のタングステンフィラメントの放射エネルギーの波長依存性を示すグラフ。
【発明を実施するための形態】
【００１７】
本発明の実施形態について説明する。
【００１８】
（第１の実施形態）
本発明の赤外光源１は、図１のように、１種以上のガス１１を封入した容器１０と、容器１０内のガス１１を励起する励起部１２と、容器１０に設けられた、ガスが放射する赤外光を透過する窓１３とを備えて構成される。これにより、励起されたガスが、そのガス固有の赤外吸収波長の近傍の赤外光を放射するため、所望する波長の赤外光を高効率で発生することができる。
【００１９】
励起部１２は、容器１０内のガス１１を振動準位間で励起するものを用いる。これにより、ガス１１の分子に固有な振動準位で決まる赤外吸収エネルギーは、赤外発光エネルギーと略同一のエネルギーであるという物理的作用を利用して、所望する波長の赤外光を発生することができる。例えば，図２のように、ガス１１の振動準位を示す量子数をｖ，回転準位を示す量子数をJとし、遷移後の振動準位の量子数をｖ’、遷移後の回転準位の量子数をJ’とすると，赤外吸収並びに赤外発光の遷移は，ｖ’−ｖ＝Δｖ＝±１，Ｊ’−Ｊ＝ΔＪ＝±１，の準位間でおこる。本原理を利用することによって，測定したい分子種（ガス種）を容器１０等に封入して，適当な方法で振動準位（例えば図２（ａ）のｖ＝０、ｖ’＝１）間で励起することによって，図２（ｂ）のように、振動準位間のエネルギーに相当する所望の波長（準位間エネルギーに相当する波長）の発光を得ることができる。これにより、フィラメントによるスペクトル幅の広い黒体放射と比較して，エネルギーの利用効率が向上する。また、所望の波長を狭い波長幅で出射することができるため、例えばこの光源をガス検出装置に用いることにより、高効率で精度の良いガス検出を行うことができる。
【００２０】
励起部としては、ガス１１を赤外光で励起する赤外光励起部の他に、マイクロ波励起部，ＲＦ波励起部，放電励起部，伝導伝熱ガス励起部，等，様々な物理的励起手法を採用することが出来る。即ち，振動準位間で励起させることができるものであればどのようなものでもよい。
【００２１】
例えば、励起部１２は、赤外光でガスを励起するフィラメントを用いることができる。フィラメントは、ガス１１の赤外吸収波長の光を放射するものであればどのようなものであってもよい。例えば、Ｗ，Ｔａ，Ｒｅ，Ｏｓ，ＨｆＣ，ＴａＣ，炭素，等の高融点材料を用いることができる。フィラメントは、容器１０内に配置され、電力供給のための端部を容器１０の外側に引き出し、気密を保って容器１０を封止した構造にすることができる。具体的には、図１のように容器１０の封止部に端子として口金１５を配置し、口金１５の両端子にフィラメントの両端をそれぞれ接続する構成にすることができる。
【００２２】
容器１０内に封入された１種以上のガスは、放射する赤外光近傍に、固有の赤外吸収波長をもつガスを用いることが望ましい。
【００２３】
容器内に封入された１種以上のガス１１は、ガス１１の固有の赤外吸収波長の近傍波長の赤外光を放射する。励起部１２としてフィラメントを用いた場合、放射された赤外光は、フィラメントが放射する同じ波長の赤外光に重畳されて窓１３から出射される。このように、赤外吸収波長そのものではなく、その近傍波長の赤外光が放射されることにより、フィラメントのように励起部１２がガス１１の固有の赤外吸収波長の近傍の赤外光を放射している場合には、この赤外光と重畳されることにより、より強度の大きな赤外光を出射することができる。
【００２４】
ガス１１の固有の赤外吸収波長ではなく、その近傍波長の赤外光が放射されるのは、励起された振動準位（例えば、図２（ａ）のｖ＝１）内で回転準位の緩和が生じ（例えば、Ｊ＝１がＪ＝０に緩和）、図２（ｂ）のように低い回転準位（例えばＪ＝０）の振動準位（ｖ＝１）から振動準位（ｖ＝０）に遷移することにより発光するためである。これについては、後で詳しく説明する。
【００２５】
容器１０には、窓１３を除いた壁面の少なくとも一部に、少なくとも赤外光を反射する反射膜１４が配置されていることが好ましい。これにより、ガス１１が放射した赤外光を窓１３に集めて、出射することができるため、出射効率が高まる。反射膜１４としては、例えば、金層を用いることができる。
【００２６】
容器１０は、ガス１１を所定のガス圧で封止でき、窓１３を設けることができる形状および材料で形成する。例えば、ガラス管球を用いることができる。
【００２７】
反射膜１４は、容器１０の内壁に配置することが望ましい。容器１０の内壁に配置された反射膜１４は、ガス１１が発生した赤外光を反射し、赤外光が容器１０の内壁で吸収されることを防ぐことができる。特に、反射膜１４として金層を用いた場合、赤外光を９９％以上反射することができるため、窓１３を通して高効率で所望の波長の赤外光を出射することができる。また、容器１０であるガラス管球全体を赤外光透過材料で形成し、窓１３とすべき部分のみに、反射膜１４を形成しない構成にすることも可能である。
【００２８】
窓１３は、ガス１１が放射した赤外光を透過する部材によって形成する。ガス１１が放射する赤外光の波長が、４．５μｍ以下の場合には、窓１３を無水石英（ＳｉＯ２）で形成することができる。ガス１１の放射する赤外光の波長が、１０μｍ以上の長波長である場合には、Ｓｉ（波長１５μｍ透過），Ｇｅ（波長２５μｍ透過），ＢａＦ２（波長１５μｍ透過），ＫＢｒ（波長４０μｍ透過），ＣｓＩ（波長７０μｍ透過）およびポリエチレン（波長１０００μｍ透過）等の内いずれかの材料を窓１３の材料として用いる。
【００２９】
封入するガス１１の種類は、固有の赤外吸収波長が、所望する赤外光の波長域にあり、容器１０内で安定に存在するものであればどのようなものでもよい。例えば、ＮＨ３，ＣＯ２，Ｈ２Ｓ，Ｎ２Ｏ，Ｃ２Ｈ２，Ｈ２Ｏ，ＨＣＮおよびＣＨ４のいずれか１種類以上をガス１１として用いることができる。ガス同士が、フィラメント加熱等による励起により反応しなければ、２種以上のガスを混合して封入し，複数の波長にピークを有する赤外光を出射する赤外光源を構成することも可能である。
【００３０】
容器１０に封入するガス１１のガス圧は，使用するガス種，フィラメント等の励起部１２のサイズ、並びに、容器１０の管球サイズによって最適値が異なるので，適宜調整する。窓１３を構成する部材は、容器（管球１０）に設けた開口を塞ぎ、容器１０内の気密性を維持するように固定（接着または接合）されている。窓１３の構成する部材の、容器（管球）１０に対する相対的位置は、内部のガス圧と大気圧との差を考慮して，ガス励起時に容器１０の内圧が１気圧より大きくなるようであれば容器１０の内壁面側に，ガス励起時時に容器１０の内圧が１気圧より小さくなるようであれば容器１０の外壁面側に配置し、容器１０に固定すると良い。なお，容器１０を構成する材料がＳｉＯ２系ガラス材であり窓材１３が他の材料である場合、窓材１３と容器１０との固定は、使用する窓材１３の材料並びにガス励起時の温度上昇を考えて，陽極接合，段シール，メタルシール，真空用接着剤シール，等の手法を適宜選択して用いる。
【００３１】
ここで、ガス１１が放射する赤外光の波長が、ガス１１の赤外吸収波長そのものではなく、その近傍波長であることについて詳しく説明する。
【００３２】
図３（ａ），（ｂ）に一例として、ガス１１としてＣＯ２ガスを１０５Ｐａ（１気圧）で、容器１０内に封入して，励起部１２としてフィラメント（温度およそ１０００Ｋ）から赤外光を照射してガスを加熱し、得られた赤外放射スペクトルを測定した結果を示す。この赤外放射スペクトルから、フィラメントの放射スペクトルに、ＣＯ２の非対称伸縮モード（振動モード）による吸収を反映した鋭い吸収ピーク（波長４．２６μｍ）と、その低エネルギー側（長波長側、４．３０μｍ付近）にＣＯ２ガスからの非対称伸縮モード（振動準位）を反映した鋭い放射スペクトルが観測されていることがわかる。
【００３３】
ガス１１の赤外光の吸収波長のピークと、放射波長のピークとがずれているのは、図２（ａ）のように、ＣＯ２ガス１１が、フィラメントの放射光をＲ  ｂｒａｎｃｈ（Ｒ枝、ｖ’−ｖ＝Δｖ＝＋１、Ｊ’−Ｊ＝ΔＪ＝＋１）の準位間（例：ｖ＝０、ｊ＝０の準位からｖ’＝１、Ｊ’＝１の準位への遷移）で吸収して励起された後、回転準位が緩和され，図２（ｂ）のようにＰ  ｂｒａｎｃｈ（Ｐ枝、ｖ’−ｖ＝Δｖ＝＋１、Ｊ’−Ｊ＝ΔＪ＝−１）の準位間（例：ｖ’＝１、Ｊ’＝０の準位からｖ＝０、Ｊ＝１の準位への遷移）で発光したためと考えられる。このように、ガスが赤外吸収で励起された後、発光するプロセスは，Ｒ枝（ΔＪ＝＋１）で吸収してＰ枝（ΔＪ＝−１）で放射することが多いため、吸収ピークと励起ピークとにずれが生じる。ガス１１から放射された波長４．３０μｍの赤外光は、フィラメントが放射する波長４．３０μｍの赤外光に重畳され、強度が高められる。
【００３４】
ガス１１がＰ枝放射で発光する赤外光強度は、Ｒ枝吸収で吸収した赤外光強度よりも大きくならないので、重畳された赤外光強度は、最大で、フィラメントによる同波長の放射スペクトルの赤外光強度の２倍程度である。本実施形態の赤外光源では、この重畳された赤外光を、同じ強度の赤外光をフィラメントの放射で得る場合に必要なエネルギーよりも、小さなエネルギーで得ることができる。例えば、図４に示すように、フィラメントが１０００Ｋの場合に、ガス１１から放射された波長４．３０μｍ赤外光に、フィラメントが放射した波長４．３０μｍの赤外光が重畳された強度の赤外光を、フィラメントの黒体放射のみで得ようとすると、フィラメントを温度１３００Ｋまで加熱する必要がある。すなわち、本実施形態の赤外光源は、フィラメント温度が１０００Ｋでありながら、１３００Ｋのフィラメントと同じ強度の赤外光が得られる。１０００Ｋと１３００Ｋのエネルギーの比ηを求めると、ステファンボルツマン則よりη＝１０００４／１３００４＝０．３５であり、本実施形態の赤外光源（１０００Ｋ）は、黒体放射のフィラメント（１３００Ｋ）の凡そ１／３のエネルギーで同等の赤外光強度が得られることがわかる。
【００３５】
本実施形態では、上述してきたように、ガスを封入した簡単な構成の赤外光源でありながら、エネルギーの利用効率が高く、所望の波長の赤外光を高輝度に得ることができる。また、フィラメントを用いた場合には、さらに赤外光強度を強めることができる。また、簡単な構成の赤外光源であるため、低コストで製造でき、長寿命を達成できる。
【００３６】
また、本実施形態の赤外光源は、従来のハロゲンランプと同様の製造工程で製造することができるため、容易に、歩留まりよく製造することができる。
【００３７】
また、本実施形態の赤外光源は、長波長の遠赤外光（テラヘルツ（ＴＨｚ）光）を出射することも可能である。例えば，ハロゲン電球で利用されるＣＨ３Ｉ等のガス１１を封入することによって，１ＴＨｚの放射を簡便に得ることが出来る。長波長の遠赤外光を放射させる場合は，同一振動準位内における回転準位間での遷移を利用する。
【００３８】
本実施形態の赤外光源は、所望のガス濃度を精度よく評価することが出来るので、ガス検出装置の光源や、呼気を利用したガン検査装置（癌患者の呼気から癌患者特有の揮発性有機物質が発せられることが知られているため。G.Peng,et  al.  British  Journal  of  Cancer  103,542-551(2010).を参照のこと。）の光源として用いることができる。
【００３９】
（第２の実施形態）
第２の実施形態として、第１の実施形態の赤外光源を用いたガス検出装置について図５を用いて説明する。
【００４０】
本実施形態のガス検出装置は、図５（ａ）のように、検出すべきガス２１を導入する導入口２０ａを備えた検出用容器２０と、検出用容器２０内に赤外光を照射する赤外光源１と、検出用容器２０内の検出すべきガスを透過した赤外光を検出する検出器３０とを備えている。赤外光源１は、第１の実施形態の赤外光源であり、窓１３を検出器３０に向けて配置される。検出用容器２０は、赤外光源１と検出器３０の間の空間に、検出すべきガスを導入する。
【００４１】
赤外光源１の容器１０内に封入される１種以上のガス１１は、検出すべきガス２１と同じガス種を含む。
【００４２】
検出器３０は、帯域フィルタ３１を備えることが好ましい。帯域フィルタ３１は、検出すべきガス２１の固有の赤外吸収波長に対応する波長を含む所定の波長範囲の光を透過する。これにより、検出すべきガスを透過した赤外光のうち、帯域フィルタ３１を透過した赤外光が検出器３０によって検出される。このように帯域フィルタ３１を配置することにより、検出器３０のダイナミックレンジが小さい場合であっても、検出器３０を飽和させることなく、精度よく検出することができる。
【００４３】
図５（ａ）のガス検出装置の動作について説明する。ここでは、一例として、赤外光源１が励起部１２としてフィラメントを用い、赤外光源１のガス１１および検出すべきガス２１がいずれもＣＯ２である場合について説明する。
【００４４】
まず、検出すべきガス２１を検出用容器２０に導入する。検出すべきガス２１のＣＯ２の赤外吸収波長は４．２６μｍに吸収ピーク５３を有する。赤外光源１のフィラメントに電力を供給し、赤外光を放射させる。赤外光源１から放射される赤外光のスペクトルは、図５（ｂ）のように、フィラメントの放射スペクトル５０に、赤外光源１のガス１１の放射スペクトル５１を重畳した形状である。ここまでの説明においては，この放射スペクトル５１は波長４．３０μｍにピークを有するように記載されていたが，このピーク位置はガスの温度上昇により高エネルギー側（短波長側）にシフトさせることが出来る。この理由は，ＣＯ２ガスの基底状態がMaxwell-Boltzmann則に従う温度分布を示すためである。従って，赤外光源１のフィラメント加熱温度を調整することによって，検出すべきガス２１のＣＯ２赤外吸収波長と同一波長の４．２６μｍに発光ピーク５１を設定することができる。
【００４５】
赤外光源１から放射された赤外光は、検出すべきガス２１によってＣＯ２の赤外吸収波長が吸収され、図５（ｃ）のように、検出すべきガス２１の吸収のピーク５３が生じる。よって、帯域フィルタ３１によって、吸収のピーク５２，５３を含む波長帯域の赤外光を通過させて、その強度を検出器３０で検出することにより、Ｂｅｅｒ−Ｌａｍｂｅｒｔ則の式（１）により、ＣＯ２濃度を定量的に測定することができる。
Ｉ（λ）＝Ｉ０ｅｘｐ［−αＣＬ］    ・・・（１）
ただし、Ｉ０：入射光量，Ｉ（λ）：出射光量，α：吸光係数，Ｃ：濃度，Ｌ：検出用容器２０の赤外光源１と帯域フィルタ３１との距離である。
【００４６】
また、分子の吸収は一般的に狭いスペクトル幅を有するため，より精密に赤外光源１のガス１１の放射した赤外光のピーク波長を、検出すべきガス２１の赤外吸収波長に一致させるために、赤外光源１のガス１１をヒータ（加熱部）４０で加熱してＣＯ２分子の基底状態のエネルギー分布を変化させ，赤外光源１のガス１１の赤外吸収波長および放射スペクトル５１のピークを短波長側にずらすことができる。これにより、赤外光源１のガス１１の放射スペクトル５１のピークを、検出すべきガス２１の赤外吸収波長に一致させることができ、大きな強度の赤外光で検出すべきガス２１を検出することができる。よって、ガス２１の検出精度を高めることができる。
【００４７】
また，大気圏並びに極地に存在する極低温のＣＯ２ガスは，殆どのエネルギーが基底状態のｖ＝０，Ｊ＝０，に存在するため、その吸収のピーク５３が室温の場合より長波長に位置するようになる。このような場合，濃度を精密に評価するためには，検出すべきガス２１を加熱するヒータ（不図示）を配置することにより、検出すべきガス２１の吸収ピーク５３を赤外光源１のガス１１の放射スペクトル５１のピークに一致させることが可能でなる。例えば，検出すべきＣＯ２ガス２１を１００〜２００℃程度に加熱することによって、エネルギー分布を高エネルギー側にシフトさせ、ガス２１の吸収ピーク５３を短波長化できる。
【００４８】
なお、ここでは，簡単に単一波長のＣＯ２ガス吸収について記述したが，フィラメント加熱によりガス温度が高くなると，基底状態のエネルギー分布が高いＪ側に移りＭａｘｗｅｌｌ−Ｂｏｌｔｚｍａｎｎ分布自体が高エネルギー側にシフトするだけでなく広がりを有するようになる。これにより，全体として吸収並びに放射スペクトルが広がる傾向を示すため，ヒータ等を用いて精密な温度制御をおこなわなくても，低温度領域でのＣＯ２ガス吸収ピーク５３が発光ピーク５１の範囲に入るため，ＣＯ２濃度を測定することが可能となる。
【００４９】
また、別の手法としてドップラー効果を利用することも可能である。これは，検出すべきＣＯ２ガス２１が、全体的に赤外光源１に向かって速度Ｖｘで運動するように、ガス２１を赤外光源１に吹き付けることによって，光の周波数がドップラーシフトして，ｖ＝ｖ０／（１−Ｖｘ／ｃ），ｃ：光速度，となる効果を利用するものである。すなわち、赤外光源１が放射した長波長の光（低エネルギー光）は、検出すべきガス２１に向かって移動し、かつ、検出すべきガス２１が赤外光源１に向かって吹きつけられていることにより、実際の波長よりも短い波長の光（高エネルギー光）として検出すべきガス２１が感じるため，ガス１１の放射スペクトル５１のピークを、検出すべきガス２１の赤外吸収波長に一致させることができる。よって、大きな強度の赤外光（放射スペクトル５１のピーク）で、検出すべきガス２１を検出することができ、検出精度を高めることができる。
【００５０】
なお、検出すべきガス２１を赤外光源１に向かって吹きつけるための構成としては、図５のように、検出用容器２０の導入口２０ａを検出器３０寄りに、排出口２０ｂを導入口２０ａよりも赤外光源１寄りに備えることにより実現できる。これにより、導入口２０ａから導入されたガス２１が排出口２０ｂに向かって進むため、赤外光源１に吹き付けられ、ドップラー効果を生じさせることができる。また、強制的にガス２１を加速するファンを導入口２０ａや、検出用容器２０内に配置することも可能である。
【００５１】
また、図５の導入口２０ａと排出口２０ｂの位置を入れ替え、赤外光源１から遠ざかる方向に検出すべきガス２１を流すことも可能である。この場合、検出すべきガス２１は、負の速度で赤外光源に吹き付けられているのと同等であるため、検出すべきガス２１は、赤外光源１が放射した光を実際の波長よりも長い波長の光（低エネルギー光）として感じる。これにより、ガス１１の放射スペクトル５１のピークが検出すべきガス２１の赤外吸収波長よりも短い場合に、ガス１１の放射スペクトル５１のピークを検出すべきガス２１の赤外吸収波長に一致させることができる。
【００５２】
検出器３０としては，熱焦電素子やゴーレイセル等を用いることができる。検出器３０として熱焦電素子並びにゴーレイセル等を利用する場合には，チョッパー等（不図示）を必要に応じて赤外光源１と帯域フィルタ３１との間に配置し、赤外光を変調する。また、熱焦電素子やゴーレイセル等の検出器は、可視光の検出に用いられる検出器（例えば、Ｓｉ光検出器）と比較してダイナミックレンジ並びにリニアリティ（信号直線性）に劣るので，参照光を用いて、検出結果を補正することが望ましい。例えば、ガス２１のスペクトル帯域より若干ずれた帯域フィルタ（不図示）を別途準備して，その透過光を検出器３０で検出し，これを参照光の信号として、帯域フィルタ３１を透過した光の信号強度を更生する。これにより、環境変動等の揺らぎによる信号強度変化をキャンセルすることができる。
【００５３】
本発明のガス検出装置は、赤外光源１を種々の赤外光の検出器３０と組み合わせることによって，温室効果ガスであるＮＨ３、ＣＯ２、ＨＣＮならびにＣＨ４，火山性ガスや排気ガスに含まれるＨ２Ｓ，温室効果ガスや光化学スモッグに含まれるガスであるＮ２Ｏ，湿度の検知に利用できるＣ２Ｈ２やＨ２Ｏ等，様々なガスを検出することができる。また，癌患者の呼気には癌患者特有の揮発性有機物質が含まれていることが知られており，これが３μｍの赤外領域で特徴的な吸収スペクトルを示すため，本揮発性物質をガス１１として赤外光源１内に封入して赤外光源とするとともに、呼気を集めて検出すべきガス２１として図５のガス検出装置内に導入することによって，癌の有無並びにその種類を高感度で検出することが出来る。
【００５４】
また、本実施形態では、複数のガス１１を赤外光源１の容器１０内に封入することができるため、複数の赤外波長に放射ピークを持つ赤外光を放射することができる。よって、一つの赤外光源１で複数の種類のガス２１を検出することができる。なお、この場合、必要に応じて、複数の波長を透過する帯域フィルタ３１を用いるか、透過帯域の異なる複数の帯域フィルタを備える構成とすることが望ましい。
【符号の説明】
【００５５】
１…赤外光源、１０…（光源用）容器、１１…（光源用）ガス、１２…励起部、１３…窓、１４…反射膜、１５…口金、２０…検出用容器、２１…検出すべきガス、３０…検出器、３１…帯域フィルタ
【図１】
2015041545.tif 000003
【図２】
2015041545.tif 000004
【図３】
2015041545.tif 000005
【図４】
2015041545.tif 000006
【図５】
2015041545.tif 000007
【図６】
2015041545.tif 000008